(57)【要約】      （修正有）【課題】抜き取りやすいプラグを提供する。【解決手段】この抜き取りやすいプラグは、プラグ本体１０、一組の導電端子２０、プッシュレバー３０及び押圧機構を包含する。該導電端子は該プラグ本体の前端に固定される。該プッシュレバーの後端は該プラグ本体に枢接され、前端は該プラグ本体の前端方向に往復して開閉可能である。該押圧機構の後端は該プッシュレバーに枢接され、前端はスライド自在に該プラグ本体前端に設置され並びに該プラグ本体前端より突出可能である。本抜き取りやすいプラグは、前向きにプッシュレバーを押圧することにより、押圧機構前端が前向きにスライドしてプラグ本体前端面より突出し、且つプッシュレバー押出時にソケットに作用する力は単一の前向きの推力であり、抜き取りやすい効果のみを発生してプラグの抜き取りを容易とし、且つ押圧はプラグ本体前端に向けての押圧であり、プラグ抜き取り時の親指の前向き押圧の人体工学に符合する。【選択図】図２
0003161642.tif 000002
【実用新案登録請求の範囲】
【請求項１】
抜き取りやすいプラグにおいて、
プラグ本体と、
該プラグ本体の前端に固定された一組の導電端子と、
後端が該プラグ本体に枢接され、前端が該プラグ本体の前端方向に往復して開閉可能であるプッシュレバーと、
後端が該プッシュレバーに枢接され、前端がスライド自在に該プラグ本体前端に設置され並びに該プラグ本体前端より突出可能である押圧機構と、
を包含したことを特徴とする、抜き取りやすいプラグ。
【請求項２】
請求項１記載の抜き取りやすいプラグにおいて、該プラグ本体の上面に、穿孔を具えた二つの凸耳が固定され、且つこれら二つの凸耳の間に凹溝が開設され、該プッシュレバーの後端に開溝が開設され並びに該開溝の両側に貫通孔が開設され、該抜き取りやすいプラグはさらに回復バネとリベットを包含し、該回復バネが該凹溝中に置かれ、且つ一端が該開溝の溝上壁に当接し、別端が該凹溝の溝底壁に当接し、並びに該リベットが該貫通孔、該穿孔及び該回復バネに通されて、これにより該プッシュレバーと該回復バネが該プラグ本体に枢接されたことを特徴とする、抜き取りやすいプラグ。
【請求項３】
請求項１記載の抜き取りやすいプラグにおいて、該押圧機構が二つの連接棒と一つの押し棒を包含し、該連接棒の両端に枢接柱が設けられ、該押し棒は押し部と該押し部の両端にそれぞれ接続された導滑部を包含し、該導滑部の後端に開孔が開設され、該連接棒の前端が該枢接柱により該開孔内に枢接され、後端が該枢接柱により該プッシュレバーに枢接されたことを特徴とする、抜き取りやすいプラグ。
【請求項４】
請求項３記載の抜き取りやすいプラグにおいて、該プラグ本体の両側面前端に前向きに該プラグ本体を貫通するガイドレールが開設され、該プッシュレバーのほぼ中間に枢接孔が開設され、該導滑部がスライド自在に該ガイドレールに嵌合され、該連接棒の後端が該枢接柱により該枢接孔内に枢接されたことを特徴とする、抜き取りやすいプラグ。
【請求項５】
請求項１記載の抜き取りやすいプラグにおいて、該押圧機構は連接棒を包含し、該連接棒の後端に枢接柱が設けられ、該連接棒の前端にレール溝が開設され、該プラグ本体の側面前端に凸柱が開設され、該凸柱が該プラグ本体の側面より突出し、該プッシュレバーのほぼ中央に枢接孔が開設され、該連接棒の前端は該レール溝により該凸柱に嵌合されて該プラグ本体にスライド可能に接続され、その後端は該枢接柱により該枢接孔内に枢接されたことを特徴とする、抜き取りやすいプラグ。
【請求項６】
請求項１記載の抜き取りやすいプラグにおいて、該押圧機構は連接棒を包含し、該連接棒の前端にプッシュブロックがあり、後端に貫通する孔が設けられ、前述のプラグ本体の前端に該プラグ本体前端より該プラグ本体内部を貫通して外部の一側に至るチャネルが開設され、該連接棒がスライド可能に該チャネル中に置かれ、該連接棒の前端と後端が該チャネルより突出可能であり、該プッシュレバーの両側にさらに滑り溝が開設され、該抜き取りやすいプラグはさらに横棒を包含し、該横棒は該孔をとおり並びにスライド自在に該滑り溝内に挿入されたことを特徴とする、抜き取りやすいプラグ。
【請求項７】
請求項１記載の抜き取りやすいプラグにおいて、該プラグ本体の該プッシュレバーと反対の一側面に補助ブロックが設置され、該補助ブロックに複数の止滑ストリップが設けられたことを特徴とする、抜き取りやすいプラグ。
【請求項８】
請求項１記載の抜き取りやすいプラグにおいて、該プッシュレバーは蓋状を呈し、その上表面が凹んだ円弧面を呈することを特徴とする、抜き取りやすいプラグ。
【考案の詳細な説明】
【技術分野】
【０００１】
本考案は一種のプラグに係り、特に抜き取りやすいプラグに関する。
【背景技術】
【０００２】
図１を参照されたい。それは一種の抜き取りやすいプラグ１００'を示す。本例中、抜き取りやすいプラグ１００'の、ソケットと接続される一端面は前端面とされる。該抜き取りやすいプラグ１００'はプラグ本体１０'、枢軸２０'及びプッシュレバー３０'を包含する。該枢軸２０'はプラグ本体１０'の一側に設けられ、プッシュレバー３０'はＶ字形を呈し、それは枢軸２０'に枢接され並びに枢軸２０'の周りを回転する。この抜き取りやすいプラグ１００'はソケットに挿入される時、プッシュレバー３０'はソケットにより押されて回転しプラグ本体１０'前端面後側に至る。抜き取りやすいプラグ１００'を引き抜く時は、プッシュレバー３０'の後端を押圧すれば、プッシュレバー３０'の前端が枢軸２０'の周りを回転してプラグ本体１０'の前端面前側にいたりして、並びに前向きに押出し、これにより、ソケットとプラグ本体１０'が分離し、抜き取りやすいプラグ１００'を抜き取ることができる。
【０００３】
この抜き取りやすいプラグ１００'を引き抜く時、プッシュレバー３０'とソケットは単点接触とされ、何度も使用しているうちに、プッシュレバー３０'の端部が損壊しやすく、且つプッシュレバー３０'を押し出す時のソケットにかかる力は、斜め方向の力Ｆであり、この力Ｆはまっすぐな推力Ｆ１と接線方向の力Ｆ２とに分解され、これにより、Ｆ１は抜き取りやすいプラグ１００'を抜き取りの効果を発生し、Ｆ２は接線方向の力であり、すなわち抜き取りの抵抗力を発生し、これにより抜き取りやすいプラグ１００'の抜き取りに不利である。且つ人がプッシュレバー３０'を押圧する時には、プラグ本体１０'の後側に向けて押圧するため、抜き取りやすいプラグ１００'を抜き取る時の親指の前向きの押圧の、人体工学に符合しない。
【考案の概要】
【考案が解決しようとする課題】
【０００４】
本考案の目的は、上述の周知技術の不足に対して、一種の、抜き取りやすく、且つ力を入れて押圧する時に人体工学に符合する、抜き取りやすいプラグを提供することにある。
【課題を解決するための手段】
【０００５】
上述の目的を実現するため、本考案の抜き取りやすいプラグは、プラグ本体、一組の導電端子、プッシュレバー及び押圧機構を包含する。該導電端子は該プラグ本体の前端に固定される。該プッシュレバーの後端は該プラグ本体に枢接され、前端は該プラグ本体の前端方向に往復して開閉可能である。該押圧機構の後端は該プッシュレバーに枢接され、前端はスライド自在に該プラグ本体前端に設置され並びに該プラグ本体前端より突出可能である。
【考案の効果】
【０００６】
総合すると、本考案の抜き取りやすいプラグは、前向きにプッシュレバーを押圧することにより、押圧機構前端が駆動され前向きにスライドしてプラグ本体前端面より突出し、且つプッシュレバー押出時にソケットに作用する力が単一の前向きの推力であり、抜き取りやすい効果のみを発生してプラグの抜き取りを容易とし、且つ押圧はプラグ本体前端に向けての押圧であり、プラグ抜き取り時の親指の前向き押圧の人体工学に符合する。
【図面の簡単な説明】
【０００７】
【図１】周知の抜き取りやすいプラグの側面図である。
【図２】本考案の抜き取りやすいプラグの実施例の抜き取り時の立体図である。
【図３】図２の抜き取りやすいプラグの立体分解図である。
【図４】図２の抜き取りやすいプラグのプッシュレバーの立体図である。
【図５】図２の抜き取りやすいプラグのソケットへの挿入時の立体図である。
【図６】本考案の抜き取りやすいプラグの別の実施例の抜き取り時の立体図である。
【図７】図６の抜き取りやすいプラグの立体分解図である。
【図８】図６の抜き取りやすいプラグのソケットへの挿入時の立体図である。
【図９】本考案のまた別の実施例の抜き取りやすいプラグのソケットへの挿入時の立体図である。
【図１０】図９の抜き取りやすいプラグの立体分解図である。
【考案を実施するための形態】
【０００８】
図２から図１０に示されるように、本考案の抜き取りやすいプラグ１００はプラグ本体１０、一組の導電端子２０、プッシュレバー３０及び押圧機構４０を包含する。該導電端子２０は該プラグ本体１０の前端に固定される。該プッシュレバー３０の後端は該プラグ本体１０に枢接され、プッシュレバー３０の前端は該プラグ本体１０の前方に向けて往復して開閉可能である。該押圧機構４０の後端は該プッシュレバー３０に枢接され、該押圧機構４０の前端はスライド自在に該プラグ本体１０前端に設置され並びに該プラグ本体前端より突出可能で、それにより抜き取りやすいプラグ１００を抜き取らせる。
【０００９】
該プラグ本体１０の上面に、二つの凸耳１２が固定され、且つプラグ本体１０の上面二つの凸耳１２の間に凹溝１３が開設され、凸耳１２に穿孔１２１が開設されている。プラグ本体１０の凸耳１２に対応する下面には、補助ブロック１４が設置され、該補助ブロック１４に複数の止滑ストリップ１４１が設けられている。プッシュレバー３０の後端中部に開溝３３が開設され、プッシュレバー３０の後端の開溝３３両側にそれぞれ貫通孔３１が開設されている。該抜き取りやすいプラグ１００はさらに回復バネ５０とリベット６０を包含する。該回復バネ５０は該プラグ本体１０の凹溝１３中に置かれ、且つ一端がプッシュレバー３０の開溝３３の溝上壁に当接し、別端はプラグ本体１０の凹溝１３の溝底壁に当接する。リベット６０はプッシュレバー３０の貫通孔３１、プラグ本体１０の凸耳１２の穿孔１２１、及び回復バネ５０をとおり、プッシュレバー３０及び回復バネ５０を凸耳１２に枢接してプラグ本体１０と接続する。
【００１０】
図２から図５を参照されたい。本考案の抜き取りやすいプラグ１００の第１実施例中、プラグ本体１０の両側面前端に、前向きにプラグ本体１０の前端面を貫通するガイドレール１１が開設されている。プッシュレバー３０のほぼ中間部分に枢接孔３２が開設されている。押圧機構４０は二つの連接棒４１及び一つの押し棒４２を包含する。連接棒４１の両端にはそれぞれ枢接柱４１１が設けられている。押し棒４２は前端面が平面を呈する棒状の押し部４２１と、該押し部４２１の両端に接続された導滑部４２２を包含する。導滑部４２２の後端に開孔４２３が開設されている。連接棒４１の前端は枢接柱４１１により押し棒４２の開孔４２３内に枢接され、後端は枢接柱４１１によりプッシュレバー３０の枢接孔３２内に枢接される。
【００１１】
組立時には、押し棒４２の導滑部４２２をプラグ本体１０前端より後ろ向きにガイドレール１１に嵌合し、押し棒４２をガイドレール１１に沿って前後方向に往復運動できるようにする。その後、連接棒４１の両端の枢接柱４１１を押し棒４２の開孔４２３とプッシュレバー３０の枢接孔３２内に嵌合し、連接棒４１の後端をプッシュレバー３０に枢接する。並びに連接棒４１の前端及び押し棒４２をスライド可能にプラグ本体１０に組み合わせる。
【００１２】
以下に、第１実施例の原理について詳細に説明する。本実施例の抜き取りやすいプラグ１００がソケットに挿入されている時、押し棒４２はガイドレール１１内に収容され、連接棒４１はプッシュレバー３０前端を支持して上向きに開き、この時、回復バネ５０は自然な状態にある。本考案の抜き取りやすいプラグ１００を抜き取る時は、下向きにプッシュレバー３０を押圧すれば、プッシュレバー３０の押下により、連接棒４１が駆動されて押し棒４２を押動してガイドレール１１に沿って前向きに、プラグ本体１０前端より突出させ、これにより押し棒４２が前向きにソケットを押圧し、これにより抜き取りやすいプラグ１００がソケットより離脱する。
【００１３】
図６から図８を参照されたい。本考案の抜き取りやすいプラグ１００の第２実施例中、プラグ本体１０の両側面前端に凸柱７０が設けられ、該凸柱７０はプラグ本体１０の対応する両側面より突出する。プッシュレバー３０のほぼ中間部分に枢接孔３２が開設されている。押圧機構４０は二つの連接棒４１を包含し、連接棒４１の後端には枢接柱４１１が設けられ、連接棒４１の前端にレール溝４１２が開設されている。
【００１４】
組立時には、該連接棒４１の後端が枢接柱４１１によりプッシュレバー３０の枢接孔３２に枢接され、前端は、レール溝４１２により凸柱７０に嵌合されスライド自在にプラグ本体１０に組み合わされ、且つ連接棒４１は該連接棒４１により凸柱７０上で制限付き運動を行う。
【００１５】
以下に第２実施例の原理について詳細に説明する。本実施例の抜き取りやすいプラグ１００がソケットに挿入されている時、連接棒４１は後ろ向きにスライドしてプラグ本体１０の前端面後側に位置し、連接棒４１はプッシュレバー３０前端を支持し上向きに開いている。このとき、回復バネ５０は自然な状態にある。本考案の抜き取りやすいプラグ１００を抜き取る時には、下向きにプッシュレバー３０を押圧すると、プッシュレバー３０の押下により、連接棒４１が駆動されてプラグ本体１０の前端に向けて延伸され並びにプラグ本体１０前端より突出し、二つの連接棒４１が前向きにソケットを押圧し、これにより、抜き取りやすいプラグ１００をソケットより離脱させる。
【００１６】
図９から図１０を参照されたい。本考案の抜き取りやすいプラグ１００の第３実施例中、プラグ本体１０の前端中部にプラグ本体１０前端よりプラグ本体１０内部に貫通して外部の一側に至るチャネル１６が開設されている。プッシュレバー３０の両側それぞれに滑り溝３４が開設されている。押圧機構４０は連接棒４１を包含し、連接棒４１の前端はプッシュブロック４１３を具え、連接棒４１の後端には貫通する孔４１４が設けられている。この抜き取りやすいプラグ１００はさらに横棒８０を包含する。
【００１７】
組立時には、連接棒４１がプラグ本体１０のチャネル１６前端よりスライド可能にチャネル１６中に設置され、連接棒４１後端がチャネル１６より突出し、横棒８０は連接棒４１の孔４１４中に通され、これにより連接棒４１が横棒８０に枢接され、横棒８０の両端はプッシュレバー３０の滑り溝３４内に挿入され並びに滑り溝３４に沿ってスライド自在とされる。これにより、連接棒４１の後端が横棒８０によりプッシュレバー３０に枢接され、前端がプッシュブロック４１３及びチャネル１６によりプラグ本体１０にスライド可能に接続され、且つ連接棒４１がチャネル１６に沿って制限つき運動可能とされる。
【００１８】
以下に第３実施例の原理について詳細に説明する。抜き取りやすいプラグ１００がソケットに挿入されている時、連接棒４１はチャネル１６内に通され、且つ連接棒４１の後端がプッシュレバー３０前端を支持して上向きに開き、このとき、回復バネ５０は自然な状態にある。本考案の抜き取りやすいプラグ１００を抜き取る時には、下向きにプッシュレバー３０を押圧すると、プッシュレバー３０の押下により連接棒４１が駆動されてチャネル１６の傾斜に沿って前向きにスライドし、プラグ本体１０前端より突出し、連接棒４１の前端のプッシュブロック４１３がこれにより前向きにソケットを押圧し、これにより抜き取りやすいプラグ１００がソケットより分離する。
【００１９】
総合すると、本考案の抜き取りやすいプラグ１００は、前向きにプッシュレバー３０を押圧することにより、押圧機構４０前端が駆動され前向きにスライドしてプラグ本体１０前端面より突出し、且つプッシュレバー３０押出時にソケットに作用する力が単一の前向きの推力であり、抜き取りやすい効果のみを発生してプラグの抜き取りを容易とし、且つ押圧はプラグ本体１０前端に向けての押圧であり、プラグ抜き取り時の親指の前向き押圧の人体工学に符合する。
【符号の説明】
【００２０】
１００  抜き取りやすいプラグ            １０  プラグ本体
１１  ガイドレール                      １２  凸耳
１２１  穿孔                            １３  凹溝
１４  補助ブロック                      １４１  止滑ストリップ
１６  チャネル                          ２０  導電端子
３０  プッシュレバー                    ３１  貫通孔
３２  枢接孔                            ３３  開溝
３４  滑り溝                            ４０  押圧機構
４１  連接棒                            ４１１  枢接柱
４１２  レール溝                        ４１３  プッシュブロック
４１４  孔                              ４２  押し棒
４２１  押し部                          ４２２  導滑部
４２３  開孔                            ５０  回復バネ
６０  リベット                          ７０  凸柱
８０  横棒
【図１】
0003161642.tif 000003
【図２】
0003161642.tif 000004
【図３】
0003161642.tif 000005
【図４】
0003161642.tif 000006
【図５】
0003161642.tif 000007
【図６】
0003161642.tif 000008
【図７】
0003161642.tif 000009
【図８】
0003161642.tif 000010
【図９】
0003161642.tif 000011
【図１０】
0003161642.tif 000012